(57)【要約】      （修正有）【課題】省エネルギー及びこたつの使用感の向上等の観点から更なる保温性の向上が図れると共に、こたつの使用状態における外観にまで十分配慮が及んだこたつ用掛シートを提供する。【解決手段】こたつ用掛シート１０は、こたつ本体１００とこたつ天板１０２との間において、こたつ布団１０４の裏側に挟み込まれて使用されるものである。こたつ用掛シート１０は、こたつ本体１００を覆う基布２０をなす垂れ布部２４の片面側に蒸着層を有する不織布３０を有する。蒸着層を有する不織布３０は、金属又は金属酸化物を垂れ布部２４に蒸着させることにより形成されている。【選択図】図１
0003179620.tif 000002
【実用新案登録請求の範囲】
【請求項１】
こたつ本体とこたつ天板との間にこたつ布団とともに挟まれて使用されるこたつ用掛シートであって、
前記こたつ本体の天面を覆う覆部、及び前記こたつ本体の側面側に垂れ下がる垂れ布部を有する基布と、
前記垂れ布部に積層された金属又は金属酸化物が蒸着された不織布と、
を含むこと、を特徴とするこたつ用掛シート。
【請求項２】
前記基布がポリエステル製シートで形成されていること、を特徴とする請求項１に記載のこたつ用掛シート。
【請求項３】
前記金属又は前記金属酸化物が、アルミニウム又は酸化アルミニウムであること、を特徴とする請求項１又は２に記載のこたつ用掛シート。
【請求項４】
前記金属又は金属酸化物が、前記不織布の一部又は全部に対して面状に蒸着されていること、を特徴とする請求項１〜３のいずれかに記載のこたつ用掛シート。
【請求項５】
前記金属又は金属酸化物が、前記基布の一部又は全部に対して紋状に蒸着されていること、を特徴とする請求項１〜３のいずれかに記載のこたつ用掛シート。
【考案の詳細な説明】
【技術分野】
【０００１】
本考案は、こたつ本体とこたつ天板との間において、例えばこたつ布団の裏側に挟み込んだ状態で使用されるこたつ用掛シートに関する。
【背景技術】
【０００２】
従来、こたつ内部の保温性を確保するための掛け布団として、下記特許文献１に開示されているようなこたつ用掛け布団が提供されている。特許文献１のこたつ掛け布団は、こたつやぐらの天部形状と同一形状の覆部を有し、覆部の四方に長方形状のスカート部を連設させた構成とされている。また、スカート部の両側の縁辺部間には、閉塞布が縫着して設けられており、隣接する括り紐同士を括ることにより、こたつやぐらの上部において締め付けて固定することができる構造とされている。
【先行技術文献】
【特許文献】
【０００３】
【特許文献１】特許第３１９５９１４号公報
【考案の概要】
【考案が解決しようとする課題】
【０００４】
しかしながら、上記特許文献１に開示されているこたつ用掛け布団では、こたつ内部の保温性の確保が十分でなく、省エネルギー及びこたつの使用感の向上等の観点から更なる保温性の向上が求められている。また、特許文献１のこたつ用掛け布団においては、スカート部の両側の縁辺部間に設けられた閉塞布の表面側に括り紐を配することにより、デザイン上のワンポイントとする工夫がなされているものの、使用状態における外観にまで十分な配慮がなされているとは言えないという問題がある。
【０００５】
そこで、本考案は、省エネルギー及びこたつの使用感の向上等の観点から更なる保温性の向上が図れると共に、こたつの使用状態における外観にまで十分配慮が及んだこたつ用掛シートの提供を目的とする。
【課題を解決するための手段】
【０００６】
上述した課題を解決すべく提供される、本考案は、
こたつ本体とこたつ天板との間にこたつ布団とともに挟まれて使用されるこたつ用掛シートであって、
前記こたつ本体の天面を覆う覆部、及び前記こたつ本体の側面側に垂れ下がる垂れ布部を有する基布と、
前記垂れ布部に積層された金属又は金属酸化物が蒸着された不織布と、
を含むこと、を特徴とするこたつ用掛シートである。
【０００７】
上記本考案のこたつ用掛シートにおいては、
前記金属又は前記金属酸化物が、アルミニウム又は酸化アルミニウムであることが好ましい。
【０００８】
上記本考案のこたつ用掛シートは、
前記金属又は金属酸化物が、前記不織布の一部又は全部に対して面状に蒸着されているものとすることが可能である。
【０００９】
上記本考案のこたつ用掛シートは、
前記金属又は金属酸化物が、前記不織布の一部又は全部に対して紋状に蒸着されているものとすることが可能である。
【００１０】
上記本考案のこたつ用掛シートは、
前記不織布においてこたつ布団と接触する側の面に、金属又は金属酸化物が蒸着されている層が位置するように、使用するのが望ましい。
【考案の効果】
【００１１】
本考案のこたつ用掛シートは、こたつ本体を覆う基布の片面全体又は一部に、金属又は金属酸化物を蒸着させたものであり、高い保温効果が得られる。これにより、更なる省エネルギー化を図り、こたつの使用感を向上させることができる。また、本考案のこたつ用掛シートは、こたつ本体とこたつ天板との間において、こたつ布団の裏側に挟み込んだ状態で使用されるものであるため、外観に影響を与えない。
【００１２】
本考案のこたつ用掛シートは、金属又は金属酸化物として、アルミニウム又は酸化アルミニウムを用いることにより、優れた保温効果が得られる。これにより、より一層省エネルギー化を図り、こたつの使用感を向上させることが可能となる。
【００１３】
ここで、本考案者らが鋭意検討したところ、こたつ本体の天面側の領域よりも、こたつ本体の側面側の領域において重点的に保温性を向上させることにより、こたつ全体としての保温性の向上に有効であるとの知見を得た。
【００１４】
かかる知見に基づき、本考案のこたつ用掛シートは、基布をこたつ本体の天面を覆う覆部と、こたつ本体の側面側に垂れ下がる垂れ布部とを有するものとし、かつ垂れ布部の表面（又は裏面）に金属又は前記金属酸化物を蒸着した不織布を積層したものとされている。このような構成とすることにより、こたつ本体の側面側の領域における保温性を重点的に向上させ、こたつ全体としての保温性を向上させることが可能となる。
【００１５】
本考案のこたつ用掛シートは、不織布の一部又は全部に対して金属又は金属酸化物を面状に蒸着したものとすることにより、保温効果の向上及び省エネルギー化を図り、こたつの使用感の向上に資することが可能となる。
【００１６】
また、本考案のこたつ用掛シートは、金属又は金属酸化物を不織布の一部又は全部に対して紋状に蒸着したものとすることによっても、保温効果の向上及び省エネルギー化を図り、こたつの使用感を向上させることができる。なお、本考案において、「金属又は金属酸化物を基布の一部又は全部に対して紋状に蒸着」するとは、基布に対して図形状に金属又は金属酸化物を蒸着すること全般を指し、例えば斑（まだら）状、縞状、砂子状、斑点状等の図形状に金属又は金属酸化物を蒸着することを含む概念である。
【００１７】
本考案のこたつ用掛シートは、不織布においてこたつ布団と接触する側の面に、金属又は金属酸化物を蒸着した層が位置するように設置して使用することにより、金属又は金属酸化物の蒸着面にこたつの使用者が接触することによる使用感の低下を防止しつつ、こたつ内部からの放熱を最小限に抑制することができる。
【図面の簡単な説明】
【００１８】
【図１】（ａ）は本考案の一実施形態に係るこたつ用掛シートの使用状態を示す斜視図、（ｂ）は（ａ）の断面図、（ｃ）は（ｂ）のＡ部拡大図である。
【図２】（ａ），（ｂ）はそれぞれ図１に示すこたつ用掛シートの平面図である。
【図３】図１に示すこたつ用掛シートをなす垂れ布部の断面図である。
【考案を実施するための形態】
【００１９】
以下、本考案の一実施形態に係るこたつ用掛シート１０について、図面を参照しつつ詳細に説明する。
【００２０】
図１（ａ），（ｂ）に示すように、こたつ用掛シート１０は、こたつ本体１００と、こたつ天板１０２との間において、こたつ布団１０４の裏側に挟み込まれた状態で使用されるものである。こたつ本体１００は、やぐら状に形成されたものである。また、こたつ天板１０２は、正方形又は長方形等の矩形状の平板であり、こたつ本体１００の天面に重ねた状態で設置され、使用される。こたつ布団１０４は、こたつ本体１００とこたつ天板１０２との間に挟み込まれ、外周部がこたつ本体１００の側方に垂れ下がるように設置される布団である。
【００２１】
本実施形態においては、こたつ用掛シート１０は、こたつ本体１００とこたつ天板１０２との間において、こたつ布団１０４の裏側に挟み込まれた状態で、中掛として使用されている。図１（ｃ）及び図３に示すように、こたつ用掛シート１０においては、基布２０の一部（後述する垂れ布部２４）の片面側に蒸着層を有する不織布３０が積層されて構成されている。
【００２２】
基布２０は、こたつ本体１００を覆うことが可能な大きさの布地である。基布２０は、いかなる布地によって形成されていてもよいが、本実施形態では織布によって形成されている。基布２０をなす素材は、綿、羊毛、麻、パルプ、絹等の天然繊維、又はレーヨン、ナイロン、ポリエステル、ポリプロピレン、ビニロン、アラミド繊維等の化学繊維とすることができる。なかでも、基布２０は、こたつ布団１０４との摺動性の観点から、ポリエステル製シートで構成されているのが好ましい。
【００２３】
図２に示すように、基布２０は、覆部２２と４つの垂れ布部２４とによって構成された略十文字型の外観形状を有している。具体的には、基布２０は、矩形状に形成された覆部２２を中心として構成され、覆部２２の外周をなす４辺に沿って矩形状の４つの垂れ布部２４を設けた構成とされている。
【００２４】
こたつ本体１００の天面（こたつ天板１０２）が略正方形である場合には、覆部２２が図２（ａ）に示すように略正方形とされ、天面（こたつ天板１０２）が略長方形である場合には、覆部２２が図２（ｂ）に示すように略長方形とされる。覆部２２は、使用時にこたつ本体１００の天面を覆う部分であり、こたつ本体１００の天面と形状及び大きさが略同一とされている。垂れ布部２４は、使用時にこたつ本体１００の側面側（四方）に垂れ下がる部分である。
【００２５】
図１（ｃ）に示すように、蒸着層を有する不織布３０は、上述した基布２０を構成する覆部２２と４つの垂れ布部２４のうちの、４つの垂れ布部２４の片面側、具体的には使用状態においてこたつ布団１０４と接触する側の面に形成されている。蒸着層を有する不織布３０は、基布２０の全体に亘って形成することも可能であるが、本実施形態では垂れ布部２４に相当する領域のみに積層されており、覆部２２に相当する領域には形成されていない。すなわち、こたつ用掛シート１０は、覆部２２に相当する領域において単層構造となっており、垂れ布部２４に相当する領域において二層構造（厳密には、基布、蒸着層及び不織布の三層構造）となっている。
【００２６】
蒸着層は、金属又は金属酸化物を不織布に蒸着することにより形成されている。本実施形態では、蒸着層をなす金属又は金属酸化物として、アルミニウム又は酸化アルミニウムが用いられている。また、蒸着層は、面状又は紋状に形成することが可能である。本実施形態においては、不織布の全体に亘って面状に蒸着層が形成された不織布３０が、基布２０の垂れ布部２４全体に亘って積層されている。
【００２７】
上述したように、こたつ用掛シート１０は、やぐら状のこたつ本体１００とこたつ天板１０２との間において、こたつ布団１０４の裏側に覆部２２が挟み込まれ、垂れ布部２４がこたつ本体１００の側方に垂れ下がった状態で使用される。こたつ用掛シート１０は、こたつ用掛シート１０は、蒸着層を有する不織布３０がこたつ布団１０４側に向き、基布２０が使用者に触れる状態で使用される。
【００２８】
本実施形態のこたつ用掛シート１０は、こたつ本体１００を覆う基布２０の一部をなす垂れ布部２４の略全体に亘ってアルミニウム又はアルミニウム酸化物を蒸着させた不織布３０を積層させたものであり、高い保温効果が得られる。これにより、暖房効率が更に改善され、省エネルギー化を図りることができる。また、こたつ用掛シート１０を用いることにより、放熱を最小限に抑制できるため、こたつの使用感を向上させることができる。
【００２９】
また、こたつ用掛シート１０は、こたつ本体１００とこたつ天板１０２との間において、こたつ布団１０４の裏側（又は表側）に挟み込んだ状態で使用されるものである。裏側に挟み込んだ状態で使用する場合、こたつ用掛シート１０は、使用状態においてこたつ布団１０４に隠れて露出せず、外観に影響を与えない。また、こたつ用掛シート１０は、使用者が触れ易い垂れ布部２４においては不織布３０が積層されて構成されているため、保温性及び通気性に優れ、肌触りが良い。
【００３０】
本実施形態においては、不織布に蒸着される金属又は金属酸化物として、アルミニウム又は酸化アルミニウムが用いられており、優れた保温効果が得られる。なお、本実施形態では、不織布にアルミニウム又は酸化アルミニウムを蒸着して蒸着層を形成した例を示したが、本考案はこれに限定されるものではなく、他の金属又は金属酸化物を蒸着した構成としてもよい。
【００３１】
また、こたつ用掛シート１０は、こたつ本体１００の側面側の領域の保温性を重点的に向上させるべく、垂れ布部２４に蒸着層を有する不織布３０を積層している。これにより、こたつ全体としての保温性を効率よく向上させ、省エネルギー化に資することが可能となる。なお、本実施形態では、覆部２２に蒸着層を有する不織布３０を積層しない構成を例示したが、本考案はこれに限定されるものではなく、覆部２２にも蒸着層３０を形成することとしてもよい。
【００３２】
上述したこたつ用掛シート１０は、基布２０の一部をなす垂れ布部２４の略全面に亘り、蒸着層を有する不織布３０を略面状に積層したものであるため、高い保温効果が得られ、省エネルギー化を図ることが可能となる。なお、不織布３０における蒸着層は、必ずしも面状に形成する必要はなく、例えば紋状に形成することも可能である。具体的には、不職布に対し、斑（まだら）状、縞状、砂子状、斑点状等の図形状に金属又は金属酸化物を蒸着することにより蒸着層を形成してもよい。
【００３３】
また、こたつ用掛シート１０は、基布２０においてこたつ布団１０４と接触する側の面に、蒸着層を有する不織布３０を形成している。従って、こたつの使用者が蒸着層３０に接触することによる使用感の低下を防止しつつ、こたつ内部からの放熱を最小限に抑制することができる。
【００３４】
以上、本考案の代表的な実施形態について説明したが、それぞれ本考案の技術的思想の範囲内で種々の設計変更が可能である。例えば、こたつ本体１００の天面が矩形以外の形状である場合には、その天面に相当する形状に基布２０の覆部２２を形成することが可能である。
【００３５】
また、こたつ用掛シート１０は、基布２０が覆部２２及び垂れ布部２４からなる略十文字型の形状を有するものであるが、こたつ布団１０４と同様に矩形状等としてもよい。こたつ用掛シート１０を矩形状とする場合には、中央部に設けられる覆部２２の外周側全体に蒸着層を有する不織布３０を積層してもよく、こたつ本体１００への設置時にこたつ本体１００の側方に形成される開口部分（垂れ布部２４に相当する部分）にのみ蒸着層を有する不織布３０を積層した構成としてもよい。
【００３６】
本発明のこたつ用掛シートは、一般家庭等においてこたつを利用する際にこたつ本体ととこたつ天板との間にこたつ布団と共に挟み込んだ状態で利用できる。
【符号の説明】
【００３７】
１０  こたつ用掛シート
２０  基布
２２  覆部
２４  垂れ布部
３０  不織布
１００  こたつ本体
１０２  こたつ天板
１０４  こたつ布団
【図１】
0003179620.tif 000003
【図２】
0003179620.tif 000004
【図３】
0003179620.tif 000005